【事件の表示】
　特願２００２−　２４７９８「情報入出力システム、中央装置、及びコンピュータプログラム」拒絶査定不服審判事件〔平成１５年　８月　８日出願公開、特開２００３−２２３３９３〕について、次のとおり審決する。
【結　論】
　本件審判の請求は、成り立たない。
【理　由】
１．手続きの経緯・本願発明
　本願は、平成１４年１月３１日の出願であり、平成１８年１１月９日付けで拒絶査定がなされ、それに対して平成１９年１月１１日に拒絶査定不服の審判請求がなされたものであって、その請求項１に係る発明は、平成１８年１０月２３日に提出された手続補正書により補正された明細書及び図面の記載からみて、その特許請求の範囲の請求項１に記載された事項により特定される次のとおりのものと認める。（以下、「本願発明」という。）
　　
「情報を入力するための入力端末装置と、複数の項目からなる表示情報を画面表示する出力端末装置と、入力端末装置から入力された情報を記憶し、記憶している情報を表示情報として出力端末装置へ出力する中央装置とを備える情報入出力システムにおいて、
　前記入力端末装置は、
　表示情報を構成する複数の項目の指定、及び各項目が表示される画面上での表示位置の指定を受け付ける手段と、
　各項目の表示形態を定める属性情報を受け付ける手段と、
　受け付けた各項目の表示位置及び属性情報を前記中央装置へ送信する手段とを備え、
　前記中央装置は、
　受信した各項目の表示位置及び属性情報を含む、表示情報のレイアウトを定めたレイアウト情報を作成する手段と、
　作成した複数のレイアウト情報を記憶する手段と、
　記憶している一のレイアウト情報に基づいて、該レイアウト情報がレイアウトを定めた表示情報を構成する各項目の表示内容を入力するための入力枠が全項目について設けられた表示内容の入力専用の入力フォームを作成する手段と、
　作成した入力フォームを前記入力端末装置へ送信する手段とを備え、
　前記入力端末装置は、更に、
　受信した入力フォームを用いて、各項目の表示内容を受け付ける手段と、
　受け付けた表示内容を示す内容情報を前記中央装置へ送信する手段とを備え、
　前記中央装置は、更に、
　受信した内容情報を前記レイアウト情報に関連づけて記憶する手段を備えることを特徴とする情報入出力システム。」
　
２．引用例
（１）原査定の拒絶の理由に引用された特開２００１−２９０７２９号公報（以下、「引用例」という。）には、図面とともに次の記載がある。
（イ）「【課題を解決するための手段と発明の効果】以上の課題を解決するため、本願請求項１記載の発明では、サーバー側に、ホームページの半完成品のテンプレートを多数準備し、どの様なクライアントであっても、その求めるホームページに近いデザインのホームページがその中から見つかる程度に準備しておくのである。一例として、ＨＴＭＬで記述したテンプレートを多数準備しておくのである。なおテンプレートを作成する方法はどの様な方法によってもよく、ＨＴＭＬを用いるに限らない。
【０００９】そしてこのサーバにアクセスしたクライアントには何等かの操作画面を提示し、テンプレートの中から所望のテンプレートを選択させると共に、選択した画面テンプレートをクライアント所望のホームページに加工する為の加工データを入力させる様にしておくのである。テンプレートを選択させるに当たっては、テンプレートによる画面のサンプルをメニュー表示して選ばせる方法が例示できるがこれに限らない。
【００１０】サーバー側では、この様に入力された加工データと当該ホームページのアクセス情報とを当該画面テンプレートに対応付けることにより、いずれかのクライアントから当該ホームページがアクセスされたときには、前記アクセス情報に基づいて当該ホームページを前記クライアントに表示させることのできるのである。加工データは入力されたままの状態で記録しておき、アクセスされた都度に、テンプレートを加工しながら表示すればよいが、或いは事前にテンプレートを加工してホームページを作成しておき、これを表示してもよい。アクセス情報とは、ＵＲＬが一般であるがその他何でもよい。
【００１１】また請求項２記載の発明では、上記のテンプレートを自ら作成し、これに対する加工データを入力することによりホームページを作成するようにした。そのために、まずテンプレートの作成に当たり、サーバーにアクセスしたクライアントに、希望するホームページのスケッチを描く為のキャンバス画面を提示し、このキャンバス画面上に希望するホームページのスケッチを描かせるようにした。例えばキャンバス画面と共にタイトル枠、文章枠、作表枠、写真枠、作画枠などの部品を表示し、これを任意に選んでキャンバス上にコピーして配置するなどの方法があるが、これに限らない。次に、このスケッチに対応する画面用のテンプレートを、加工してホームページにする為のテンプレートとして作成するのである。一例として、描かれたスケッチのデータをサーバーにアップロードし、これをサーバーでテンプレートに変換処理するのであるが、これに限らず、クライアント側で変換処理し、これをアップロードしてもよい。後は請求項１と同様であり、作成されたテンプレートをクライアントの希望するホームページに加工する為の加工データを入力させ、この加工データと当該ホームページのアクセス情報とを当該画面テンプレートに対応付けておき、いずれかのクライアントから当該ホームページがアクセスされたときには、前記アクセス情報に基づいて当該ホームページを前記クライアントに表示させるのである。
【００１２】これにより、予め準備されたテンプレートに好みのテンプレートが無いときには、自らそのテンプレートを準備することができる。
【００１３】請求項３記載の発明では、請求項１の記載における多数のテンプレートを自作できるようにした。つまりサーバにアクセスしたクライアントに、希望するホームページのスケッチを描く為のキャンバス画面を提示し、このキャンバス画面上に希望するホームページのスケッチを描かせ、このスケッチに対応する画面用のテンプレートを、加工してホームページにする為のテンプレートとして作成した。そして、この様にして作成したテンプレートをサーバーに多数準備し、自作のテンプレート・メニューの中から必要なものを選び、ホームページを作成すればよい。業務などで、各種のアナウンスをホームページで行っているような場合、製品やサービスに応じ、必要なホームページをその時時に臨機応変に作成してゆくような場合には便利である。」（段落【０００８】〜【００１３】）
　
（ロ）「【発明の実施の形態】（実施例１）次に、本願請求項１記載の発明のホームページ作成方法の実施の形態を説明する。この作成方法は、図１に示すようにサーバー１がインターネットを介して広く一般のクライアントＡ，Ａ，…；Ｂ，Ｂ，…からアクセスできるようになっており、サーバー１には、加工してホームページ（インターネット・ウエブサイト）にするための画面用のテンプレート２が多数準備されている。ホームページを作成しようとするクライアントＡは、インターネットを介して自分のホームページを作成し、その後、このホームページをいずれかのクライアントＢがアクセスするのである。無論、クライアントＡとＢに区別はなく、誰が自分のホームページを作成し、それを誰がアクセスしてもよい、
【００１５】またテンプレート２はＨＴＭＬ言語で記載されたホームページのスケルトンであるが、その他、画面定義体として機能するもの、或いは、クライアントに送信して画面表示可能なものであれば、どの様なものであってもよい。
【００１６】このサーバー１に所定のホームページ・アドレス（ＵＲＬ）でアクセスすると、希望するホームページを作成するためのホームページ（以下、ＨＰ作成画面）が表示されるようになっており、この作成画面を操作することにより、希望するホームページが作成できるようになっている。このＨＰ作成画面では、まずテンプレートのメニュー（図示せず）が表示されるようになっており、この中からどれかを選ぶと、当該テンプレートに対する加工データの入力画面３が、図２に示すように表示される。
【００１７】この入力画面３では、選択されたテンプレート４が作成画面３の上の方に表示され、その際には、タイトル枠５や文章枠６、或いは写真の掲示枠７が、枠表などが示されている。加工データを入力する場合には、これらの枠のどれか（図２では）を選び、その枠に対するデータを入力するのである。例えば、図２に示すように、タイトル枠５を選んでクリックすると、図３に示すようにテンプレート４の下に必要な入力欄８が表示され、ここにタイトル文、フォント、色、書体、その他の指示データを入力するようになっている。次に、文章枠６を選び、必要な文章をその指示データと共に入力する。
【００１８】写真を入力する場合には、予めクライアントのパソコンに写真をデータとして取り込んでおく。そして、写真枠７をクリックして表示される入力欄は、写真データの入っているホルダー名やデバイスなど、クライアント・パソコン内での写真データの所在場所を入力しおく。絵柄、図案など作図的なものは、ペイントその他の作図ソフトを使って描いておき、写真同様にホルダーなどに予め入れておき、その所在場所をやはり入力する。キャラクターなどよく使われる図は、ＨＰ作成画面３の表示の際のメニューとして提供し、これを選べるようにしておいてもよい。また最近は、静画像であっても次々と表示内容が変わり、準動画的なホームページが多用されるが、必要であればこの様なものを加工データとして入力しておけばよい。
【００１９】この様にして、必要な加工データを入力し終わったら、入力された加工データをサーバー１に送つて選択されたテンプレート２を加工し、できたホームページをクライアントＡにサンプル表示する。表示を確認し、入力ミスの修正や色などの変更などがあれば、入力方法と同様の操作により修正入力を行う。最終的にサンプル画面が固まったら、終了処理によりサーバー１には、この加工データと当該ホームページのアクセス情報とを当該テンプレートに対応付けて記録される。アクセス情報は具体的にはＵＲＬである。また仮に、１つのテンプレート２を異なる他のクライアントと重複して利用したいのであれば、他のクライアントの加工データもそのＵＲＬと共に対応付けておけばよい。２つの加工データはＵＲＬによりどちらのホームページ用であるかが区別できる。
【００２０】図４に示すのはサーバー側のデータ構造であり、テンプレート２と加工データ９が階層構造になっている。つまり、各テンプレートの下２，２，…には、ＵＲＬごとの加工データ９，９…がＤＢに記録されるようになっている。
【００２１】この様にして、希望するホームページを作成しておくことにより、このホームページの利用者となるいずれかのクライアントＢから当該ホームページがアクセスされたときには、アクセス情報に基づいて当該ホームページをクライアントＢに表示させることができる。クライアントＢに表示するに当たっては、VbScript、Perl、JavaScript等のスクリプト言語を用い、ＤＢの加工データを読み込むことにより、アクセスされた都度、ダイナミックにホームページが作成されて表示が成される。
【００２２】（実施例２）次に、請求項２記載の発明の実施例を説明する。まず、サーバー１にはテンプレートを作成をするホームページが準備されており、ホームページアドレス（ＵＲＬ）にアクセスすることにより、テンプレート作成用のホームページ（以下、テンプレート作成画面）を表示する。このテンプレート作成画面は、画面に白地のキャンバス画面が表示され、このキャンバス画面上に希望するホームページのスケッチを描かせるようになっている。描き方はどの様であってもよいが、一例として、一般に用いられているペイント・ソフト機能やＣＡＤ機能に類似した機能を備えさせておけばよい。このテンプレート作成画面を用いてホームページのスケッチをキャンバス画面に描いたら、このキャンバスに描かれたスケッチをキャンバスデータとしてサーバーに送り、サーバー側ではこれをテンプレートに変換処理する。変換により作成されたテンプレートはクライアント側に確認表示され、必要な修正をした後にサーバーに記憶させる。
【００２３】そしてクライアント側では、表示されているテンプレートに基づき、実施例１と同様の方法で加工データを入力する。その後、いずれかのクライアントからこのホームページへのアクセスが成された際の表示のされ方は、実施例１と同様である。
【００２４】
（実施例３）なお、請求項１記載の発明においては、多数のテンプレートの準備をホームページの作成者自ら行い、自分にあったテンプレート群の中からより適したものを選びながら、その時々にあったホームページを作るようにしてもよい。この場合、テンプレート群は他のクライアントにも利用可能なように共用にしてもよく、共用にせず、各人ごとに自分のテンプレート群を持つようにしてもよい。或いは、ホームページはサーバー業者などが既製品として当初準備しておき、これでは足りないような場合にはクライアントが所望のテンプレートを作成して追加するようにしておいてもよい。」（段落【００１４】〜【００２４】）
　　
　以上の記載によれば、引用例には以下のような発明（以下、「引用例発明」という。）が開示されていると認められる。
　　
「ホームページを作成するクライアントと、前記ホームページを表示するクライアントと、前記ホームページを作成するクライアントから入力された加工データを記録し、前記ホームページを表示するクライアントに対し、前記記録した加工データによりテンプレートを加工してホームページを表示するサーバーにおけるホームページ作成方法において、
　前記ホームページを作成するクライアントは、
　画面にホームページのスケッチを描く為の白地のキャンバス画面を表示し、キャンバス画面上に、例えばタイトル枠、文章枠、作表枠、写真枠、作画枠などの部品を任意に配置し、前記描いたホームページのスケッチのキャンバスデータを前記サーバーへ送信し、
　前記サーバーは、
　前記キャンバスデータを変換処理して画面用のテンプレートを作成し、作成した複数の画面用のテンプレートを多数準備し、
　　前記ホームページを作成するクライアントは、
　前記サーバーにアクセスしてＨＰ作成画面（ホームページを作成するためのホームページ）を表示することにより、テンプレートのメニューを表示し、希望するテンプレートを選択し、当該テンプレートに対する加工データの入力画面３を表示し、当該入力画面３で表示されたタイトル枠５や文章枠６、或いは写真の掲示枠７等の枠のどれかを選び、選んだ枠に対する加工データを入力し、例えば、タイトル枠５を選ぶと、必要な入力欄８が表示され、ここにタイトル文、フォント、色、書体、その他の指示データを入力し、次に、文章枠６を選び、必要な文章をその指示データと共に入力し、必要な加工データを入力し終わったら、入力された加工データをサーバーに送り、
　前記サーバーは、
　前記入力された加工データとアクセス情報とを当該テンプレートに対応付けて記憶するホーページ作成方法。」
　
３．対　比
　本願発明と上記引用例発明とを対比する。
　引用例発明の「ホームページを作成するクライアント」は、本願発明の「情報を入力するための入力端末装置」に相当し、引用例発明の「前記ホームページを表示するクライアント」は、本願発明の「複数の項目からなる表示情報を画面表示する出力端末装置」に相当する。
　引用例発明の「前記ホームページを作成するクライアントから入力された加工データを記録し、前記ホームページを表示するクライアントに対し、前記記録した加工データによりテンプレートを加工してホームページを表示するサーバー」は、本願発明の「入力端末装置から入力された情報を記憶し、記憶している情報を表示情報として出力端末装置へ出力する中央装置」に相当する。
　引用例発明のホームページを作成するクライアントと、前記ホームページを表示するクライアントと、前記ホームページを作成するクライアントから入力された加工データを記録し、前記ホームページを表示するクライアントに対し、前記記録した加工データによりテンプレートを加工してホームページを表示するサーバーからなる構成は、本願発明の「情報入出力システム」に相当するといえる。
　引用例発明の「キャンバスデータ」は、本願発明の「受け付けた各項目の表示位置」に相当し、引用例発明の前記ホームページを作成するクライアントは、画面にホームページのスケッチを描く為の白地のキャンバス画面を表示し、当該キャンバス画面上に、例えばタイトル枠、文章枠、作表枠、写真枠、作画枠などの部品を任意に配置し、前記描いたホームページのスケッチのキャンバスデータを前記サーバーへ送信するから、本願発明と「前記入力端末装置は、表示情報を構成する複数の項目の指定、及び各項目が表示される画面上での表示位置の指定を受け付ける手段と、受け付けた各項目の表示位置を前記中央装置へ送信する手段」とを備えている点で対応するといえる。
　引用例発明の「画面用のテンプレート」は、本願発明の「各項目の表示位置を含む、表示情報のレイアウトを定めたレイアウト情報」に相当し、引用例発明の前記サーバーは、前記キャンバスデータを変換処理して画面用のテンプレートを作成し、作成した複数の画面用のテンプレートを多数準備するから、本願発明と「前記中央装置は、受信した各項目の表示位置を含む、表示情報のレイアウトを定めたレイアウト情報を作成する手段と、作成した複数のレイアウト情報を記憶する手段」を備えている点で対応するといえる。
　引用例発明の前記ホームページを作成するクライアントは、前記サーバーにアクセスしてＨＰ作成画面を表示することにより、テンプレートのメニューを表示し、希望するテンプレートを選択し、当該テンプレートに対する加工データの入力画面３を表示し、当該入力画面３で表示されたタイトル枠５や文章枠６、或いは写真の掲示枠７等の枠のどれかを選び、その枠に対するデータを入力し、例えば、タイトル枠５を選ぶと、必要な入力欄８が表示され、ここにタイトル文、フォント、色、書体、その他の指示データを入力し、次に、文章枠６を選び、必要な文章をその指示データと共に入力し、必要な加工データを入力し終わったら、入力された加工データをサーバーに送るから、本願発明と「前記入力端末装置は、更に、入力フォームを用いて、各項目の表示内容を受け付ける手段と、受け付けた表示内容を示す内容情報を前記中央装置へ送信する手段とを」備える点で対応するといえる。
　引用例発明の前記サーバーは、前記入力された加工データとアクセス情報とを当該テンプレートに対応付けて記憶するから、本願発明と「前記中央装置は、更に、受信した内容情報を前記レイアウト情報に関連づけて記憶する手段」を備える点で対応するといえる。
　
　したがって、両者は、
「情報を入力するための入力端末装置と、複数の項目からなる表示情報を画面表示する出力端末装置と、入力端末装置から入力された情報を記憶し、記憶している情報を表示情報として出力端末装置へ出力する中央装置とを備える情報入出力システムにおいて、
　前記入力端末装置は、
　表示情報を構成する複数の項目の指定、及び各項目が表示される画面上での表示位置の指定を受け付ける手段と、
　受け付けた各項目の表示位置を前記中央装置へ送信する手段とを備え、
　前記中央装置は、
　受信した各項目の表示位置を含む、表示情報のレイアウトを定めたレイアウト情報を作成する手段と、
　作成した複数のレイアウト情報を記憶する手段とを備え、
　前記入力端末装置は、更に、
　入力フォームを用いて、各項目の表示内容を受け付ける手段と、
　受け付けた表示内容を示す内容情報を前記中央装置へ送信する手段とを備え、
　前記中央装置は、更に、
　受信した内容情報を前記レイアウト情報に関連づけて記憶する手段を備えることを特徴とする情報入出力システム。」
で一致するものであり、次の（１）、（２）の点で相違している。
　
（１）本願発明では、入力端末装置は、各項目の表示形態を定める属性情報を受け付ける手段と、受け付けた各項目の表示位置及び属性情報を前記中央装置へ送信する手段とを備え、中央装置は、受信した各項目の表示位置及び属性情報を含む、表示情報のレイアウトを定めたレイアウト情報を作成する手段を備えているのに対し、引用例発明では、クライアントは、キャンバスデータ（本願発明の「受け付けた各項目の表示位置」に相当する。）をサーバーへ送信し、サーバーで作成する画面用のテンプレート（本願発明の「レイアウト情報」に相当する。）は各項目の表示形態を定める属性情報を含まない点。
　
（２）本願発明では、中央装置は、記憶している一のレイアウト情報に基づいて、該レイアウト情報がレイアウトを定めた表示情報を構成する各項目の表示内容を入力するための入力枠が全項目について設けられた表示内容の入力専用の入力フォームを作成する手段と、作成した入力フォームを前記入力端末装置へ送信する手段を備え、入力端末装置は、受信した入力フォームを用いて、各項目の表示内容を受け付けるのに対し、引用例発明では、クライアントは、入力画面３において選んだ枠に対するデータの入力欄を用いて、各項目の表示内容を受け付けているが、入力画面３は、どのようにして作成されたものであるか明らかではなく、かつ、表示内容の入力専用の入力フォームではない点。
　
４．当審の判断
　上記相違点について検討する。
・相違点（１）について
　引用例発明は、入力画面３で表示されたタイトル枠５や文章枠６、或いは写真の掲示枠７等の枠のどれかを選び、入力欄８が表示され、フォント、色、書体などの各項目の表示形態を定める属性情報を含む加工データを入力し、入力された加工データをサーバーに送り、サーバーは、入力された加工データを画面用のテンプレートに対応付けて記憶するようにしている。
　そして、出力用テンプレートに、配置情報の他にも、色、フォントなどに関する情報を含ませることは、本出願前に周知（原査定において示された特開２００１−３３７８８９号公報段落【００３３】の記載、特開平８−１４７４８６号公報【要約】，段落【００１４】の記載、特開２００１−１０１１７１号公報段落【００２７】の記載参照）である。
　したがって、上記周知技術を適用すれば、引用例発明において、フォント、色、書体などの各項目の表示形態を定める属性情報を、各項目の表示位置とともにサーバーへ送信し、サーバーが作成するテンプレート（本願発明の「レイアウト情報」に相当する。）に、各項目の表示形態を定める属性情報を予め含むようにすることは、当業者が容易になし得ることである。
　
・相違点（２）について
　引用例発明は、クライアントがサーバーにアクセスしてＨＰ作成画面（ホームページを作成するためのホームページ）を表示することにより、テンプレートのメニューを表示し、選択したテンプレートに対応する加工データの入力画面３（本願発明の「入力フォーム」に相当する。）が表示されるから、一つのテンプレートに対応する入力画面３（本願発明の「入力フォーム」に相当する。）は、サーバー側で生成してクライアントへ送信されたものであるか、あるいはクライアント側で生成したものであるかのどちらかであることは明らかであり、一つのテンプレートに対応する入力画面３（本願発明の「入力フォーム」に相当する。）がサーバーで生成されてクライアントへ送信されるものとすることは、当業者が必要に応じてなし得る選択的事項にすぎない。
　そして、引用例発明において、サーバーが作成するテンプレート（本願発明の「レイアウト情報」に相当する。）に、各項目の表示形態を定める属性情報を予め含むようにすれば、クライアントは、入力画面３の入力欄において、フォント、色、書体などの各項目の表示形態を定める属性情報を受け付ける必要がなくなり、タイトル文、文章などの表示内容を受け付けるだけでよいことは明らかである。
　また、出力用フォームテンプレートから、それに対応する表示内容の入力専用の入力フォームを生成することは、本出願前に周知の技術（特開２００１−１０１３２６号公報段落【００３１】の記載、特開２００１−１０１３２７号公報段落【００３１】の記載参照）である。
　したがって、引用例発明において、上記周知技術を適用し、中央装置は、記憶している一のレイアウト情報に基づいて、該レイアウト情報がレイアウトを定めた表示情報を構成する各項目の表示内容を入力するための入力枠が全項目について設けられた表示内容の入力専用の入力フォームを作成する手段と、作成した入力フォームを前記入力端末装置へ送信する手段を備え、入力端末装置は、受信した入力フォームを用いて、各項目の表示内容を受け付けることは当業者が容易になし得ることである。
　
　また、上記の相違点に基づく本願発明の作用効果も、引用例発明及び周知技術から、当業者であれば予想できる範囲内のものである。
　
５．むすび
　以上のとおり、本願請求項１に係る発明は、引用例発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。